(57)【特許請求の範囲】
【請求項１】
空気の吹き出し口を備えた吹き出し口部と、
該吹き出し口部へ空気を送給可能に空気の吸い込み口部を有した駆動送風部と、を備え、
前記吸い込み口部で吸い込んだ内部空気を、前記吹き出し口部の前記吹き出し口から吹き出し、前記吹き出し口の周囲の外部空気を補助空気として、巻き込みつつ、前記内部空気と前記補助空気との混合空気を送給する構成のファンレス扇風機であって、
前記吹き出し口部が、前記駆動送風部との連通部から上方に延びるように配設されるハウジングを備えて構成されるとともに、該ハウジングの前面側で前記ハウジングの軸方向に沿って延びるように開口させて、前記駆動送風部から送給される空気を前方側へ吹き出し可能に、前記吹き出し口を、配設させて構成され、
前記ハウジングの後面側の左右両側に、前記補助空気となる前記外部空気の流入用開口を設け、かつ、前記ハウジングの前面側の前記吹き出し口の左右両側に、前記補助空気の流出用開口を設けて、前記ハウジングの左右両側に、前記ハウジングの軸方向に沿って延びるように、ガイド壁が、配設され、
前記ハウジングが、軸直交方向の断面形状を、前記吹き出し口側を狭めて、長軸を前後方向に沿って配置させた略楕円筒状とし、
左右の前記ガイド壁が、前記流入用開口より前記流出用開口の左右方向の幅寸法を狭めるように、前記ハウジングの左右の側壁の周囲で、外膨らみの湾曲状として、配設され、
左右の前記ガイド壁が、前記ハウジングの左右の側壁との離隔距離を調整可能に、調整機構を介在させて、前記ハウジングに連結されていることを特徴とするファンレス扇風機。
【発明の詳細な説明】
【技術分野】
【０００１】
本発明は、空気を送給するファン（回転羽根）を外表面側に露出させずに構成されるファンレス扇風機に関する。
【背景技術】
【０００２】
従来、ファンレス扇風機としては、空気の吹き出し口を備えた吹き出し口部と、吹き出し口部へ空気を送給可能に空気の吸い込み口部を有した駆動送風部と、を備えて構成されていた（例えば、特許文献１，２参照）。そして、吸い込み口部で吸い込んだ内部空気を、吹き出し口部の上下方向に延びた直線状の吹き出し口から吹き出したり、あるいは、吹き出し口部の円環状の吹き出し口から吹き出して、吹き出し口の周囲の外部空気を補助空気として、巻き込みつつ、内部空気と補助空気との混合空気を送給する構成としていた。
【先行技術文献】
【特許文献】
【０００３】
【特許文献１】特開２０１３−１４２３３１号公報
【特許文献２】特開２０１０−１３８９０６号公報
【発明の概要】
【発明が解決しようとする課題】
【０００４】
しかし、特許文献１のファンレス扇風機では、上下方向に延びた一本のスリット状の吹き出し口から内部空気を吹き出し、吹き出し口の左右両側の外部空気を補助空気として巻き込んで、前方側に送給する構成であり、巻き込む外部空気の周囲が、開放された大きな空間となっていることから、補助空気を流速を高めて巻き込み難く、流量や流速を増加させて空気を送給する点に改善の余地があった。
【０００５】
同様に、特許文献２のファンレス扇風機でも、リング状の吹き出し口の中央側が、巻き込む外部空気の領域となるが、大きく開口され、さらに、吹き出し口が、前方側に向いているものの、後面側（背面側）に配置されていることから、中央側の大きなスペースと相俟って、流速を高めて外部空気を巻き込む点に、改善の余地があった。
【０００６】
本発明は、上述の課題を解決するものであり、簡便に構成しても、流速と流量とを高めて空気を送給することができるファンレス扇風機を提供することを目的とする。
【課題を解決するための手段】
【０００７】
本発明に係るファンレス扇風機は、空気の吹き出し口を備えた吹き出し口部と、
該吹き出し口部へ空気を送給可能に空気の吸い込み口部を有した駆動送風部と、を備え、
前記吸い込み口部で吸い込んだ内部空気を、前記吹き出し口部の前記吹き出し口から吹き出し、前記吹き出し口の周囲の外部空気を補助空気として、巻き込みつつ、前記内部空気と前記補助空気との混合空気を送給する構成のファンレス扇風機であって、
前記吹き出し口部が、前記駆動送風部との連通部から上方に延びるように配設されるハウジングを備えて構成されるとともに、該ハウジングの前面側で前記ハウジングの軸方向に沿って延びるように開口させて、前記駆動送風部から送給される空気を前方側へ吹き出し可能に、前記吹き出し口を、配設させて構成され、
前記ハウジングの後面側の左右両側に、前記補助空気となる前記外部空気の流入用開口を設け、かつ、前記ハウジングの前面側の前記吹き出し口の左右両側に、前記補助空気の流出用開口を設けて、前記ハウジングの左右両側に、前記ハウジングの軸方向に沿って延びるように、ガイド壁が、配設され、
前記ハウジングが、軸直交方向の断面形状を、前記吹き出し口側を狭めて、長軸を前後方向に沿って配置させた略楕円筒状とし、
左右の前記ガイド壁が、前記流入用開口より前記流出用開口の左右方向の幅寸法を狭めるように、前記ハウジングの左右の側壁の周囲で、外膨らみの湾曲状として、配設され、
左右の前記ガイド壁が、前記ハウジングの左右の側壁との離隔距離を調整可能に、調整機構を介在させて、前記ハウジングに連結されていることを特徴とする。
【０００８】
本発明に係るファンレス扇風機では、駆動送風部が作動すれば、吸い込み口部から吸い込まれた内部空気が、吹き出し口部に送給されて吹き出し口から吹き出される。そして、吹き出し口が、ハウジングの前面側で上下方向に延びるように開口されていることから、ハウジングの後面側の左右両側の流入用開口から外部空気を巻き込みつつ、内部空気と外部空気からなる補助空気とが混合された混合空気を、前面側の流出用開口から前方側に送給させることとなる。
【０００９】
その際、左右のガイド壁が、ハウジングの左右の側壁と同じような外膨らみの湾曲状として、流入用開口より流出用開口を狭めるように、配設されており、補助空気は、流入用開口から吸い込まれ、かつ、流出用開口から吹き出すガイド壁の内側補助空気だけで無く、ガイド壁の外側面に沿って、流入用開口付近から流出用開口付近に流れる外側補助空気の流れを発生させる。そのため、前方側に流れる混合空気は、ハウジングの吹き出し口から吹き出す内部空気と、ガイド壁の内側の内側補助空気と、さらに加えて、ガイド壁の外側の外側補助空気との流れを混合させて、前方に流れる。
【００１０】
そして、ガイド壁の外側を流れる外側補助空気の流れは、左右のガイド壁が、ハウジングの左右の側壁と同じような外膨らみの湾曲状として、飛行機の翼構造と同様としていることから、内側補助空気の流速と略同等に流速が速く（内側補助空気の流速より速いとの説もある）、その結果、内部空気と外部空気からなる補助空気との混合空気全体の流速と流量とを増大させて、混合空気が前方側に送給されることとなる。
【００１１】
そして、このような作用効果は、内部空気を吹き出す吹き出し口の左右両側に、湾曲状のガイド壁を配置させるだけでよく、簡便な構成で達成することができる。
【００１２】
したがって、本発明に係るファンレス扇風機は、簡便に構成しても、流速と流量とを高めて空気を送給することができる。
【００１３】
そして、本発明に係るファンレス扇風機は、左右の前記ガイド壁が、前記ハウジングの左右の側壁との離隔距離を調整可能に、調整機構を介在させて、前記ハウジングに連結されている。
【００１４】
このような構成では、調整機構を利用して、ガイド壁のハウジングからの離隔距離を調整できることから、前方側に送給する混合空気の流速を容易に調整できる。すなわち、ガイド壁をハウジングの左右の側壁に接近させれば、流出用開口が狭まり、流速を高めることができ、逆に、ガイド壁をハウジングから離せば、流出用開口が広がり、流速を抑えることができて、駆動送風部の調整とは別に、前方側に吹き出す混合空気の流速を調整することができる。
【図面の簡単な説明】
【００１５】
【図１】本発明に係る第１実施形態のファンレス扇風機の前面側から見た概略斜視図である。
【図２】第１実施形態のファンレス扇風機の後面側から見た概略斜視図である。
【図３】第１実施形態のファンレス扇風機の概略縦断面図である。
【図４】第１実施形態のファンレス扇風機の概略横断面図である。
【図５】第１実施形態のファンレス扇風機の吹き出し口付近の概略拡大横断面図である。
【図６】第２実施形態のファンレス扇風機の前面側から見た概略斜視図である。
【図７】第２実施形態のファンレス扇風機の後面側から見た概略斜視図である。
【図８】第２実施形態のファンレス扇風機の調整機構を説明する概略横断面図である。
【図９】第２実施形態のファンレス扇風機の概略横断面図である。
【図１０】調整機構の他の例を説明する概略横断面図である。
【図１１】調整機構のさらに他の例を説明する概略横断面図である。
【図１２】第１実施形態のファンレス扇風機の変形例を示す概略横断面図である。
【発明を実施するための形態】
【００１６】
以下、本発明の一実施形態を図面に基づいて説明すると、第１実施形態のファンレス扇風機１０は、図１〜３に示すように、下部側の略円錐台形状の駆動送風部１１と、駆動送風部１１の上部に配置されて、空気流の吹き出し口２９を備えた吹き出し口部２０と、を具備して構成されている。吹き出し口部２０は、上下方向に延びるスリット状の吹き出し口２９を前面２２ａ側に開口させた略楕円筒状のハウジング２２を設けて構成されている。
【００１７】
駆動送風部１１は、図３に示すように、ファンケース１２内に収納された駆動モータ１３により回転駆動されるファン（インペラ）１４を配設させて構成され、ファン１４が回転駆動されると、後面側の吸い込み口部１５から周囲の空気Ａを吸い込んで、上部のハウジング２２の連通部２７側に送給する。ファン１４は、所定の商用電源に接続される図示しない電源コードを接続させており、前面側の操作部１８のスイッチ（図符号省略）の操作により、ON・OFFされる。なお、吸い込み口部１５には、フィルタ１６が配設されている。
【００１８】
吹き出し口部２０のハウジング２２は、上下方向に延びる軸心Ｃと直交する断面形状を、図４，５に示すように、吹き出し口２９側を狭めた状態として、前後方向に長軸を設けた略楕円筒状としている。そして、ハウジング２２は、半割り筒状の後壁２４と、後壁２４の左右両縁から前方に延びる左側壁２５及び右側壁２６と、を備えて構成され、左側壁２５と右側壁２６とは、外膨らみとした湾曲状として、前端（先端）２５ａ，２６ａを吹き出し口２９の左右両縁に配置させている。ハウジング２２の上端は、後壁２４と左右の側壁２５，２６とを連結する天井壁２３により、塞がれている。
【００１９】
なお、吹き出し口２９は、上下方向の所定箇所に、適宜、左右方向の開口幅寸法ＢＥの寸法を安定させるように、側壁２５，２５の前縁相互を連結する細い連結杆を配設させてもよい。
【００２０】
ハウジング２２の左右両側には、湾曲状のガイド壁３１（３１Ｌ，３１Ｒ）が配設されている。ガイド壁３１Ｌ，３１Ｒは、ハウジング２２の後面２２ｂ側（後壁２４側）の左右両側に、補助空気ＡＳとなる外部空気ＡＯの流入用開口３５（３５Ｌ，３５Ｒ）を設け、かつ、ハウジング２２の前面２２ａ側の吹き出し口２９の左右両側に、補助空気ＡＳの流出用開口３７（３７Ｌ，３７Ｒ）を設けて、ハウジング２２の左右両側で、ハウジング２２の軸方向ＣＤに沿って延びるように、配設されている。
【００２１】
そして、左右のガイド壁３１は、流入用開口３５Ｌ，３５Ｒの左右方向の幅寸法ＢＩより、流出用開口３７Ｌ，３７Ｒの左右方向の幅寸法ＢＯを狭めるように、ハウジング２２の左右の側壁２５，２６の周囲で、外膨らみの湾曲状として、配設されている。
【００２２】
また、左右のガイド壁３１は、ハウジング２２の左右の側壁２５，２６との離隔距離を調整可能に、調整機構４０を介在させて、ハウジング２２に連結されている。第１実施形態の調整機構４０は、ハウジング２２の側壁２５，２６の上下で左右方向の外方に突出するハウジング２２側の支持杆部４１（４１Ｌ，４１Ｒ）と、各ガイド壁３１の内側面３１ａから支持杆部４１Ｌ，４１Ｒ側に突出して、対応する支持杆部４１（４１Ｌ，４１Ｒ）を内部に嵌めるガイド壁３１側の支持杆部４２（４２Ｌ，４２Ｒ）と、から構成されている。そして、嵌り合った支持杆部４１Ｌ，４２Ｌ相互と支持杆部４１Ｒ．４２Ｒ相互との接触面、すなわち、外周面４１ａと内周面４２ａとは、摺動可能で、かつ、ファンレス扇風機１０の作動時に支持杆部４２Ｌ，４２Ｒのずれ移動が防止される程度の摩擦抵抗を備えて、嵌合されている。
【００２３】
なお、吹き出し口２９の左右方向の開口幅寸法ＢＥは、安定した外部空気ＡＯを巻き込んでなる補助空気ＡＳの流量と流速とを確保するため、１〜３ｍｍの範囲内が望ましく、実施形態の場合、２ｍｍに設定されている。
【００２４】
また、流出用開口３７Ｌ，３７Ｒの開口幅寸法ＢＯは、安定した補助空気ＡＳ、詳しくは、内側補助空気ＡＳＩと外側補助空気ＡＳＯ、の流れを確保できるように、３〜１０ｍｍに設定されている。
【００２５】
さらに、実施形態の場合、高さ寸法Ｈ０を８００ｍｍ、ガイド壁３１Ｌ，３１Ｒの最大幅寸法Ｄ０を１００ｍｍ程度としている。
【００２６】
実施形態のファンレス扇風機１０では、操作部１８の所定のスイッチをONすれば、駆動送風部１１の駆動モータ１３が作動して、ファン１４を回転駆動させることから、吸い込み口部１５から吸い込まれた内部空気ＡＩが、ハウジング２２の連通部２７を経て吹き出し口部２０に送給され、吹き出し口２９から吹き出される。そして、吹き出し口２９が、ハウジング２２の前面２２ａ側で上下方向に延びるように開口されていることから、ハウジング２２の後面２２ｂ側の左右両側の流入用開口３５Ｌ，３５Ｒから外部空気ＡＯを巻き込みつつ、内部空気ＡＩと外部空気ＡＯからなる補助空気ＡＳとが混合された混合空気ＡＭを、前面２２ａ側の流出用開口３７Ｌ，３７Ｒから前方側に送給させることとなる。
【００２７】
その際、左右のガイド壁３１Ｌ，３１Ｒが、ハウジング２２の左右の側壁２５，２６と同じような外膨らみの湾曲状として、流入用開口３５Ｌ，３５Ｒより流出用開口３７Ｌ，３７Ｒを狭めるように、配設されており、補助空気ＡＳは、流入用開口３５Ｌ，３５Ｒから吸い込まれ、かつ、流出用開口３７Ｌ，３７Ｒから吹き出すガイド壁３１Ｌ，３１Ｒの内側補助空気ＡＳＩだけで無く、ガイド壁３１Ｌ，３１Ｒの外側面３１ｂに沿って、流入用開口３５Ｌ，３５Ｒ付近から流出用開口３７Ｌ，３７Ｒ付近の先端３１ｃ側に向かって流れる外側補助空気ＡＳＯの流れを発生させる。そのため、前方側に流れる混合空気ＡＭは、ハウジング２２の吹き出し口２９から吹き出す内部空気ＡＩと、ガイド壁３１Ｌ，３１Ｒの内側の内側補助空気ＡＳＩと、さらに加えて、ガイド壁３１Ｌ，３１Ｒの外側の外側補助空気ＡＳＯとの流れを混合させて、前方に流れる。
【００２８】
そして、ガイド壁３１Ｌ，３１Ｒの外側を流れる外側補助空気ＡＳＯの流れは、左右のガイド壁３１Ｌ，３１Ｒが、ハウジング２２の左右の側壁２５，２６と同じような外膨らみの湾曲状として、飛行機の翼構造と同様としており、内側補助空気ＡＳＩの流速と略同等に流速が速く（内側補助空気ＡＳＩの流速より速いとの説もある）、その結果、内部空気ＡＩと外部空気ＡＯからなる補助空気ＡＳとの混合空気ＡＭ全体の流速と流量とを増大させて、混合空気ＡＭが前方側に送給されることとなる。
【００２９】
そして、このような作用効果は、内部空気ＡＩを吹き出す吹き出し口２９の左右両側に、湾曲状のガイド壁３１Ｌ，３１Ｒを配置させるだけでよく、簡便な構成で達成することができる。
【００３０】
したがって、第１実施形態のファンレス扇風機１０は、簡便に構成しても、流速と流量とを高めて空気を送給することができる。
【００３１】
そして、第１実施形態のファンレス扇風機１０では、左右のガイド壁３１Ｌ，３１Ｒが、ハウジング２２の左右の側壁２５，２６との離隔距離を調整可能に、相互に摺動可能に嵌り合う支持杆部４１，４２からなる調整機構４０を介在させて、ハウジング２２に連結されている。
【００３２】
そのため、支持杆部４２Ｌ，４２Ｒを、側壁２５，２６から離すように支持杆部４１Ｌ，４１Ｒに対して摺動させれば、ガイド壁３１Ｌ，３１Ｒが、側壁３１Ｌ．３１Ｒから離れ、流出用開口３７Ｌ，３７Ｒの開口幅寸法ＢＯが広がり、混合空気ＡＭの流速を低減することができる。逆に、支持杆部４２Ｌ，４２Ｒを、側壁２５，２６に接近させるように、支持杆部４１Ｌ，４１Ｒに対して摺動させれば、ガイド壁３１Ｌ，３１Ｒが、側壁３１Ｌ，３１Ｒに接近して、流出用開口３７Ｌ，３７Ｒの開口幅寸法ＢＯが狭まり、混合空気ＡＭの流速を上昇させることができる。
【００３３】
したがって、調整機構４０を備えた構成では、調整機構４０を利用して、ガイド壁３１Ｌ，３１Ｒのハウジング２２からの離隔距離を調整できて、流出用開口３７Ｌ，３７Ｒの幅寸法ＢＯを増減させることができることから、前方側に送給する混合空気ＡＭの流速を容易に調整できる。すなわち、ガイド壁３１Ｌ，３１Ｒをハウジング２２の左右の側壁２５，２６に接近させて流出用開口３７Ｌ，３７Ｒの開口幅寸法ＢＯを狭めれば、流速を高めることができ、逆に、ガイド壁３１Ｌ，３１Ｒをハウジング２２から離して流出用開口３７Ｌ，３７Ｒの開口幅寸法ＢＯを広げれば、流速を抑えることができて、駆動送風部１１の調整とは別に、前方側に吹き出す混合空気ＡＭの流速を調整することができる。
【００３４】
なお、第１実施形態では、左右のガイド壁３１Ｌ，３１Ｒのハウジング２２の左右の側壁２５，２６からの離隔距離を調整する際、ガイド壁３１Ｌ，３１Ｒを左右方向に沿って平行移動させるようにスライドさせて調整する調整機構４０を説明したが、図６〜９に示す第２実施形態のファンレス扇風機１０Ａのように、ガイド壁３１Ｌ，３１Ｒを揺動（回動）させるようにして、ハウジング２２との離隔距離を調整する構成としてもよい。
【００３５】
このファンレス扇風機１０Ａでは、調整機構５０が第１実施形態の構成と相違し、また、駆動送風部１１の後面側が左右方向に幅広に構成されている点が相違するだけであり、他の構成は、第１実施形態と同様であり、同じ部材・部位には、第１実施形態と同じ符号を付して、適宜、説明を省略する。
【００３６】
この調整機構５０では、左右のガイド壁３１Ｌ，３１Ｒの上端に、ハウジング２２の天井壁２３の上面側に張り出す略三角板状の延設部５６（５６Ｌ，５６Ｒ）が配設され、左右のガイド壁３１Ｌ，３１Ｒの下端に、ハウジング２２の側壁２５，２６側に接近する略三角板状のブラケット６０Ｌ，６０Ｒが配設されている。
【００３７】
一方、ハウジング２２の上端側の延設部５６の下方位置には、側壁２５，２６の後縁側から左右方向の外方に延びる支持ブラケット５１Ｌ，５１Ｒが配設され、各支持ブラケット５１Ｌ，５１Ｒには、延設部５６Ｌ，５６Ｒに設けられた軸支孔５７を貫通する支持軸５２が上方に突設されている。さらに、ハウジング２２の天井壁２３には、前縁付近に上方へ延びるストッパピン５３が突設されている。そして、左右の支持軸５２，５２とストッパピン５３とは、延設部５６Ｌ，５６Ｒの上方に配置される略三角板状の天板部６２に連結されている。
【００３８】
また、ハウジング２２の下端側の連通部２７付近には、ブラケット６０Ｌ，６０Ｒを回動可能に支持する支持軸５４が、支持軸５２と同心的な位置に、配設されている。
【００３９】
そして、各延設部５６Ｌ，５６Ｒは、後縁５６ｂ側の相互に対向する部位に、相互に噛合する歯車部５８（５８Ｌ，５８Ｒ）が配設され、前縁５６ａ側の相互に対向する部位に、ストッパピン５３に当接可能な半割り円弧状の規制面５９が配設されている。そのため、延設部５６Ｌ，５６Ｒの前縁５６ａ側を相互に離隔するように開けば、各延設部５６Ｌ，５６Ｒが、各々の軸支孔５７を貫通した支持軸５２と下方の支持軸５４とを回転中心として、ブラケット６０Ｌ，６０Ｒとともに、回転し、それに伴い、左右のガイド壁３１Ｌ，３１Ｒも、流出用開口３７Ｌ，３７Ｒの開口幅寸法ＢＯを広げるように、揺動（回動）することとなる。
【００４０】
その後、逆方向に回転させれば、左右の延設部５６Ｌ，５６Ｒの規制面５９，５９がストッパピン５３に当接するまで、延設部５６Ｌ，５６Ｒやブラケット６０Ｌ，６０Ｒとともに、ガイド壁３１Ｌ，３１Ｒが、流出用開口３７Ｌ，３７Ｒの開口幅寸法ＢＯを狭めるように、揺動（回動）する。
【００４１】
この調整機構５０でも、ガイド壁３１Ｌ，３１Ｒのハウジング２２からの離隔距離を調整でき、さらに、歯車部５８を利用して、左右のガイド壁３１Ｌ，３１Ｒの支持軸５２，５４周りの揺動角度（回動角度）を左右対称として、調整できて、左右のバランスよく、ガイド壁３１Ｌ，３１Ｒのハウジング２２からの離隔距離を調整することができる。
【００４２】
さらに、左右のガイド壁３１Ｌ，３１Ｒのハウジング２２からの離隔距離を調整する構成としては、図１０に示す調整機構７０のように構成してもよい。この調整機構７０は、第１実施形態の調整機構４０と近似して、ガイド壁３１Ｌ，３１Ｒ側の上下の支持杆部７３が、内周面に雌ねじ７３ａ，７３ｂを設けられ、ハウジング２２側の上下の支持杆部７１が、ハウジング２２を貫通して、左右両端に、対応する雌ねじ７３ａ，７３ｂに噛合する雄ねじ７１ａ，７１ｂを設けられ、かつ、側壁２５，２６近傍に、抜け止めを図る大径の把持部７２を設けられて、構成されている。なお、相互に噛合するねじ７３ａ，７１ａ相互と、ねじ７３ｂ，７１ｂ相互とは、逆方向にねじ溝が形成されている。
【００４３】
そのため、各把持部７２を把持して、上下の支持杆部７１を、所定方向に回せば、ガイド壁３１Ｌ，３１Ｒがハウジング２２から離隔し、逆方向に回せば、ガイド壁３１Ｌ，３１Ｒがハウジング２２に接近することとなり、流出用開口３７の開口幅寸法ＢＯを、左右のバランスよく、広げたり狭めたりして、調整することができる。
【００４４】
なお、調整機構としては、上下の一方側だけ、例えば、下方側だけ、ねじの設けられていない支持杆部４１，４２とした調整機構４０をファンレス扇風機の下部側に配設し、ファンレス扇風機の上方側に、調整機構７０として、ねじ７１ａ，７１ｂ，７３ａ，７３ｂを設けた支持杆部７１，７３を配設して、構成してもよい。
【００４５】
さらに、左右のガイド壁３１Ｌ，３１Ｒのハウジング２２からの離隔距離を調整する場合、図１１に示すようなリンク機構に利用した調整機構８０を利用してもよい。すなわち、ハウジング２２の側壁２５，２６の上下において、前側軸支部８１と後側軸支部８２と、を設け、左右のガイド壁３１L，３１Ｒの上下において、前側軸支部８５と後側軸支部８６と、を設けて、相互の前側軸支部８１，８５にリンク片８３を軸支させ、相互の後側軸支部８２，８６にリング片８４を軸支させて、調整機構８０を構成してもよい。
【００４６】
このような構成でも、ガイド壁３１Ｌ，３１Ｒを、側壁２５，２６から離れるように左右方向に引っ張ったり、側壁２５，２６に接近させるように押し付ければ、リンク片８３，８４が、軸支部８１，８２，８５，８６に軸支されて揺動することから、流出用開口３７の開口幅寸法ＢＯを、広げたり狭めたりして、調整することができる。
【００４７】
さらに、混合空気ＡＭを、左右方向の広がりを持って、前方に送給する場合には、図１２に示すように、吹き出し口２９の両縁における側壁２５，２６の先端２５ａ，２６ａの内側面２５ｂ，２６ｂを、拡開するようなテーパ面として、ハウジング２２内の側壁２５，２６間における吹き出し口２９の近傍に、上下方向に沿って延び、かつ、前後方向に延びて、前端（先端）９０ａを側壁２５，２６の先端２５ａ，２６ａと一致させて配置させる隔壁９０を設けてもよい。
【００４８】
このような構成では、隔壁９０と干渉した内部空気ＡＩが、左右方向の外側に開くように流れて、混合空気ＡＭを、左右方向の広がりを持って、前方に送給することができる。
【００４９】
なお、各実施形態のファンレス扇風機１０，１０Ａでは、ファン１４の単独使用の空気Ａの流速に比べて、十数倍の流速で、混合空気ＡＭを送給することができ、また、混合空気ＡＭの到達距離を１．５倍に伸ばすことができた。
【００５０】
また、各実施形態では、ファン１４の駆動ONと駆動OFFとの操作を例示したが、ファンの回転速度を調整可能として、風量調整するように構成したり、あるいは、適宜、タイマー機能を設けて、所定時間作動できるように構成してもよい。さらに、吹き出し口２９の向きを変更可能にするように、駆動送風部１１を回動台に設置して、ファンレス扇風機１０，１０Ａに首振り機構を設けてもよい。さらにまた、昇温した内部空気ＡＩを発生させるように、ヒータ線等を利用して電気的にON・OFFできる加熱装置を駆動送風部１１に内蔵させ、本発明のファンレス扇風機を、暖房機としても利用できるように構成してもよい。
【符号の説明】
【００５１】
１０，１０Ａ…ファンレス扇風機、１１…駆動送風部、１５…吸い込み口部、２０…吹き出し口部、２２…ハウジング、２２ａ…（ハウジングの）前面、２２ｂ…（ハウジングの）後面、２５…左側壁、２６…右側壁、２７…連通部、２９…吹き出し口、３１（３１Ｌ，３１Ｒ）…ガイド壁、３１ａ…内側面、３１ｂ…外側面、３５（３５Ｌ，３５Ｒ）…流入用開口、３７（３７Ｌ，３７Ｒ）…流出用開口、４０，５０，７０，８０…調整機構、
Ｃ…（ハウジングの）軸心、ＣＤ…（ハウジング２２の）軸方向、Ａ…空気、ＡＩ…内部空気、ＡＯ…外部空気、ＡＳ…補助空気、ＡＳＩ…内側補助空気、ＡＳＯ…外側補助空気、ＡＭ…混合空気。
【図１】
0005964885.tif 000002
【図２】
0005964885.tif 000003
【図３】
0005964885.tif 000004
【図４】
0005964885.tif 000005
【図５】
0005964885.tif 000006
【図６】
0005964885.tif 000007
【図７】
0005964885.tif 000008
【図８】
0005964885.tif 000009
【図９】
0005964885.tif 000010
【図１０】
0005964885.tif 000011
【図１１】
0005964885.tif 000012
【図１２】
0005964885.tif 000013